(57)【特許請求の範囲】
【請求項１】
建物への出入空間となるエントランス室と、
前記エントランス室を、前記建物への出入通路となる入退出室と前記建物への進入通路となる進入室とに区画するエアシャワー室と、  
前記エアシャワー室の前記入退出室側に設けられ、開放されると前記入退出室から前記エアシャワー室内へ入室可能とする入口ドアと、
前記エアシャワー室の進入室側に設けられ、開放されると前記エアシャワー室内から前記進入室へ移動可能とする出口ドアと、
前記入退出室に設けられ、屋外と前記入退出室との通路を開閉する第１外部開閉ドアと、
前記入退出室と前記建物との間に設けられ、前記入退出室より空気圧が高くされた退出準備室と、
前記退出準備室に設けられ、開放されると前記建物から前記退出準備室へ移動可能とする第１退出ドアと、
前記退出準備室に設けられ、開放されると前記退出準備室から前記入退出室へ移動可能とする第２退出ドアと、
前記第１退出ドアが開放されている間は、前記第２退出ドアが開放しないようにインターロックさせる退出準備室制御部と、
前記入退出室に設けられた履物収納部と、
前記履物収納部に履物が存在するか否かを検出する履物検出手段と、
前記履物検出手段が前記履物を検出すると、前記エアシャワー室の前記入口ドアを開放させ、前記エアシャワー室内へ人が入室すると、該入口ドアを閉じて入室した人へエアシャワーを所定時間吹き付けた後、前記出口ドアを開放させ、エアシャワーの吹き付けを終えた人が前記進入室へ移動可能とするエアシャワー室制御部と、
を有するエントランス。
【請求項２】
前記第２退出ドアに替えて前記退出準備室の開口部を閉塞する壁と、
前記履物収納部の裏側に設けられ、前記退出準備室から移動可能な退出室と、
前記退出準備室に設けられ、開放されると前記退出準備室から前記退出室へ移動可能とする第３退出ドアと、
前記退出室に設けられ、開放されると前記履物収納部に収納された履物を取り出し可能とする退出室側ドアと、
前記退出室に設けられ、屋外と前記退出室との通路を開閉する第２外部開閉ドアと、
前記履物収納部の前記入退出室側ドアと前記退出室側ドアを、いずれか一方が開放されているときは他方を閉じるようにインターロックさせる履物収納部制御部と、
前記第１退出ドアが開放されている間は、前記第３退出ドアが開放しないようにインターロックさせる退出準備室制御部と、
を有する請求項１に記載のエントランス。
【請求項３】
前記履物検出手段には、前記履物の重量を検出する重量センサが設けられ、前記重量センサの出力から前記履物の存在を判断する請求項１又は２に記載のエントランス。
【請求項４】
前記進入室には、屋内用の履物の収納部が備えられている請求項１〜３のいずれか１項に記載のエントランス。
【発明の詳細な説明】
【技術分野】
【０００１】
本発明は、建物のエントランスに関する。
【背景技術】
【０００２】
屋外における、いわゆる環境汚染物質（花粉、排気ガス又は放射性物質等）の濃度が高い地域では、建物の気密性を高めて建物内部を屋外と仕切り、生活空間である建物内部を清浄に維持している。このような建物においては、これらの環境汚染物質を建物の出入口で除去し、建物内部へ入り込むのを抑制するエントランスが求められている。
例えば、花粉除去を目的とし、建物内部に花粉を持ち込ませないように、建物の外側で衣服に付着した花粉を除去する、玄関先に送風設備を備えた建物が提案されている（特許文献１）。
【０００３】
特許文献１に記載された建物（花粉配慮建物）は、玄関先に設けたスリット状の吹き出し口から気流を吹き付け、建物内部へ入る前に、衣服等に付着した花粉を吹き飛ばして洗浄する構成である。更に、建物内部の圧力を外部より高く保つと共に、換気の際に、建物内に取り込む外気中の花粉を分離除去することで、建物内部への花粉の浸入を阻止している。また、浸入を阻止しきれなかった花粉は、建物内部へ放散する帯電した水分子や、床面に塗布又は含浸させた不活化剤で不活化させている。
【０００４】
しかし、特許文献１の花粉配慮建物では、花粉の濃度が高い屋外（玄関先）で衣服等に付着した花粉を吹き飛ばして洗浄しており、洗浄された後に再び、周囲の花粉が付着する可能性が高い。また、靴底に付着した花粉を除去することはできず、靴底に付着した花粉は建物内部へ持ち込まれる。
【先行技術文献】
【特許文献】
【０００５】
【特許文献１】特開２００７−２８４９８５号公報
【発明の概要】
【発明が解決しようとする課題】
【０００６】
本発明は、上記事実に鑑み、衣服に付着した環境汚染物質のみならず、靴底に付着した環境汚染物質を建物内部に持ち込ませないエントランスを提供することを目的とする。
【課題を解決するための手段】
【０００７】
請求項１に記載の発明に係るエントランスは、建物への出入空間となるエントランス室と、前記エントランス室を、前記建物への出入通路となる入退出室と前記建物への進入通路となる進入室とに区画するエアシャワー室と、前記エアシャワー室に設けられ、開放されると前記入退出室から前記エアシャワー室内へ入室可能とする入退出室側ドアと、前記エアシャワー室に設けられ、開放されると前記エアシャワー室内から前記進入室へ移動可能とする進入室側ドアと、前記入退出室に設けられ、屋外と前記入退出室との通路を開閉する第１外部開閉ドアと、前記入退出室と前記建物との間に設けられ、前記入退出室より空気圧が高くされた退出準備室と、前記退出準備室に設けられ、開放されると前記建物から前記退出準備室へ移動可能とする第１退出ドアと、前記退出準備室に設けられ、開放されると前記退出準備室から前記入退出室へ移動可能とする第２退出ドアと、前記第１退出ドアが開放されている間は、前記第２退出ドアが開放しないようにインターロックさせる退出準備室制御部と、前記入退出室に設けられた履物収納部と、前記履物収納部に履物が存在するか否かを検出する履物検出手段と、前記履物検出手段が前記履物を検出すると、前記エアシャワー室の前記入退出室側ドアを開放させ、前記エアシャワー室内へ人が入室すると、該入退出室側ドアを閉じて入室した人へエアシャワーを所定時間吹き付けた後、前記進入室側ドアを開放させ、エアシャワーの吹き付けを終えた人が前記進入室へ移動可能とするエアシャワー室制御部と、を有することを特徴としている。
【０００８】
請求項１に記載の発明によれば、エアシャワー室により、エントランス室が建物への出入通路となる入退出室と建物への進入通路となる進入室とに区画されている。
即ち、エアシャワー室を通らないと、入退出室から進入室へ移動できず、建物には入れない。このため、エアシャワー室で、建物へ入る人の衣服等に付着したいわゆる環境汚染物質（花粉、排気ガス又は放射性物質等）が除去される。これにより、人を介して、屋外から建物内部へ持ち込まれる環境汚染物質を抑制することができる。
【０００９】
また、履物を脱いで履物収納部へ収納するだけで、履物検出手段が履物を検出し、エアシャワー室制御部がエアシャワー室の入退出室側ドアを開放させる。この結果、屋外から建物に入る人は、入退出室で、屋外で使用した履物を脱がないとエアシャワー室へ入れず、履物の底に付いた環境汚染物質が、屋外から建物へ持ち込まれるのを抑制することができる。
【００１０】
建物から屋外へ出るときは、第１退出ドアを開放させて退出準備室に入り、第１退出ドアを閉じた後、第２退出ドアを開放して入退出室へ移動する。入退出室で履物収納部から履物を取り出し、履物を履いて第１外部開閉ドアを開放して屋外へ出る。
このとき、退出準備室の空気圧は入退出室より高くされているので、環境汚染物質が入退出室から退出準備室へ流入するのが抑制される。また、第１退出ドアと第２退出ドアは同時には開放しないよう制御されているので、入退出室から退出準備室を経由して建物内部へ汚染物質が流入するのを抑制できる。なお、第２退出ドアを退出準備室側からのみ開放可能とすることで、間違って、エアシャワー室を通過しないで入退出室側から退出準備室へ移動するのを防止できる。
【００１１】
本構成とすることにより、衣服に付着した環境汚染物質のみならず、靴底に付着した環境汚染物質を建物内部に持ち込ませないエントランスを提供することができる。
【００１２】
請求項２に記載の発明は、請求項１に記載のエントランスにおいて、前記第２退出ドアに替えて前記退出準備室の開口部を閉塞する壁と、前記履物収納部の裏側に設けられ、前記退出準備室から移動可能な退出室と、前記退出準備室に設けられ、開放されると前記退出準備室から前記退出室へ移動可能とする第３退出ドアと、前記退出室に設けられ、開放されると前記履物収納部に収納された履物を取り出し可能な退出室側ドアと、前記退出室に設けられ、屋外と前記退出室との通路を開閉する第２外部開閉ドアと、前記履物収納部の前記入退出室側ドアと前記退出室側ドアを、いずれか一方が開放されているときは他方を閉じるようにインターロックさせる履物収納部制御部と、前記第１退出ドアが開放されている間は、前記第３退出ドアが開放しないようにインターロックさせる退出準備室制御部と、を有することを特徴としている。
【００１３】
請求項２に記載の発明によれば、履物収納部の裏側に設けられた退出室を通過して、退出準備室から屋外に移動可能とされている。また、退出準備室の第２退出ドアに替えて開放されると退出準備室から退出室へ移動可能とする第３退出ドアが設けられている。更に、退出室から、履物収納部の退出室側ドアを開放して履物収納部に収納された履物を取り出すことができる。これにより、入室者と退室者の動線が交わることがなくなり、スムーズな入退出ができる。
【００１４】
請求項３に記載の発明は、請求項１又は２に記載のエントランスにおいて、前記履物検出手段には、前記履物の重量を検出する重量センサが設けられ、前記重量センサの出力から前記履物の存在を判断することを特徴としている。
【００１５】
請求項３に記載の発明によれば、重量センサにより、履物収納部に収納された状態で履物の重量が検出され、履物の重量検出信号が出力されないとエアシャワー室に入室することができない。これにより、屋外で使用した履物を、入退出室の履物収納部に収納させることができる。
この結果、環境汚染物質が、履物の底に付着した状態で建物内部へ持ち込まれるのを防止することができる。
【００１６】
請求項４に記載の発明は、請求項１〜３のいずれか１項に記載のエントランスにおいて、前記進入室には、屋内用の履物の収納部が備えられていることを特徴としている。
これにより、屋内用の履物を履いて進入室から建物内に進入することができる。
【発明の効果】
【００１７】
本発明は、上記構成としてあるので、衣服に付着した環境汚染物質の除去のみならず、靴底に付着した環境汚染物質を建物内部に持ち込ませないエントランスを提供することができる。
【図面の簡単な説明】
【００１８】
【図１】（Ａ）は本発明の第１の実施の形態に係るエントランスを採用した建物の１階の平面図であり、（Ｂ）は２階の平面図である。
【図２】は本発明の第１の実施の形態に係るエントランスの基本構成及び入退出経路を示す平面図である。
【図３】は本発明の第１の実施の形態に係るエントランスを採用した建物の外観斜視図である。
【図４】本発明の第１の実施の形態に係るエントランスを制御するコントローラの制御概要を説明するためのブロック図である。
【図５】は本発明の第１の実施の形態に係るエントランスの入室経路と制御概要を示すブロック図である。
【図６】は本発明の第１の実施の形態に係るエントランスの退室経路と制御概要を示すブロック図である。
【図７】は本発明の第２の実施の形態に係るエントランスの基本構成及び入退出経路を示す平面図である。
【発明を実施するための形態】
【００１９】
（第１の実施の形態）
図１は、第１の実施の形態に係るエントランス１０を備えた建物の平面図、図２は、エントランス１０の拡大図、図３は、第１の実施の形態に係るエントランス１０を備えた建物の外観斜視図である。
【００２０】
図１〜３に示すように、第１の実施の形態に係るエントランス１０は、建物１２の側壁の中央部から屋外空間へ向けてせり出して設けられ、外部空間と屋根や壁で仕切られたエントランス室１４を備えている。
建物１２の内部には、エントランス室１４と連通する共用空間４０が設けられ、建物１２への入退出には、エントランス室１４と共用空間４０が利用される。共用空間４０は建物１２の桁行方向に、対向する外壁間に渡る幅で設けられ、共用空間４０を挟んで複数の住戸４２Ａ〜４２Ｆが設けられている。共用空間４０は、建物１２の地上階から屋根までの吹き抜け空間とされている。
【００２１】
図１（Ａ）は１階平面図であり、住戸４２Ａと住戸４２Ｃ、住戸４２Ｂと住戸４２Ｄが共用空間４０を挟んで設けられている。また、図１（Ｂ）は２階平面図であり、１階と同じように、共用空間４０を挟んで住戸４２Ｅと住戸４２Ｆが設けられている。共用空間４０に面して、各住戸４２Ａ〜４２Ｆの玄関１１２Ａ〜１１２Ｆやバルコニー１２８Ａ〜１２８Ｆが設けられている。各住戸４２Ａ〜４２Ｆへの出入りは、共用空間４０からのみ可能とされている。
【００２２】
図２に示すように、エントランス室１４には、エントランス室１４を通過する人へ圧縮空気を吹付け、衣服等に付着した環境汚染物質を除去するエアシャワー室１６が設けられている。エントランス室１４は、エアシャワー室１６により、建物１２への出入通路となる入退出室１８と、建物１２への進入通路となる進入室２０とに区画されている。
【００２３】
エントランス室１４の屋外２８と接する空間は、一般のエントランスと同じ構成であり、風除け室４４と玄関４６が設けられている。風除け室４４と屋外２８は防風ドア４８で仕切られ、風除け室４４と玄関４６は玄関ドア５０で仕切られている。
入退出室１８は玄関４６と接して設けられ、第１外部開閉ドア２６により、玄関４６と入退出室１８との通路が開閉されている。
【００２４】
入退出室１８は、建物１２へ入退出するための準備室であり、周囲空間から独立した閉じた空間とされている。
入退出室１８には、屋外で使用した靴（履物）を収納する靴箱３６が設けられている。靴箱３６は、個人毎（１足毎）に靴を収納する収納部を備えた扉付ロッカーであり、例えば、建物１２の全ての住人用及び来客用に、複数の収納部が用意されている。
【００２５】
靴箱３６のそれぞれの内部には、収納された靴の重量を検出する重量センサ８６が設けられ、靴箱３６に収納された状態で靴の重量を検出することができる。検出結果は、後述するコントローラ８４へ出力される。これにより、重量センサ８６の出力から靴の収納の有無を判断することができる。
【００２６】
なお、図示は省略するが、靴箱３６には、靴が収納されて所定時間経過後に、自動的に靴底へ圧縮空気を吹き付け、靴底に付着した環境汚染物質を除去する、靴の自動洗浄装置を組み込んでおくこともできる。これにより、次回に使用するまでの間に、環境汚染物質に直接触れることなく、屋外で使用する靴を洗浄することができる。
【００２７】
また、入退出室１８には、手洗い用の流し台５２が設けられ、屋外２８で付着した環境汚染物質を、建物１２に入る前に水で洗い流すことができる。また、入退出室１８には、郵便受け５４やエアシャワー室１６Ａ、１６Ｂの入口ドア２２が設けられている。
【００２８】
エアシャワー室１６は、並列に２台（エアシャワー室１６Ａ、１６Ｂ）が設けられ、いずれも、中央部のエアシャワー部を挟んで、入退出室１８に入口ドア２２が設けられ、進入室２０に出口ドア２４が設けられている。なお、エアシャワー室１６の設置台数は、本実施の形態では２台としたが、建物１２の入居者数等に基づいて決定すればよい。
【００２９】
これにより、入退出室１８から、入口ドア２２を開けてエアシャワー室１６Ａ、１６Ｂのいずれかへ入室可能となる。また、エアシャワー室１６Ａ、１６Ｂは一方通行に制御されており、エアシャワーを浴びた後は、出口ドア２４を開けて、エアシャワー室１６、１６Ｂ内から進入室２０へ移動する。なお、入口ドア２２と出口ドア２４の開閉は、後述するコントローラ８４で制御される。
【００３０】
また、エアシャワー室１６Ａ、１６Ｂには、それぞれ赤外線センサ８８が取り付けられ、エアシャワー室１６内へ人が入室したことを検出することができる。検出結果は、後述するコントローラ８４へ出力される。これにより、赤外線センサ８８の出力に基づいてエアシャワー室１６の運転を制御することができる。
【００３１】
進入室２０には、屋内用の履物を収納する屋内履物箱３８が備えられている。これにより、エアシャワー室１６を通過し、環境汚染物質が除去された状態で、屋内用の履物を履いて進入室２０から建物１２の共用空間４０に移動することができる。
また、進入室２０には、コントローラ８４が取り付けられている。後述するように、コントローラ８４は、エントランス１０の全体を制御する。
【００３２】
入退出室１８と建物１２との間には、退出準備室３０が設けられている。退出準備室３０は、気密性を高めた構成とされ、入退出室１８より空気圧が高くされている。
退出準備室３０には、開放されると建物１２から退出準備室３０へ移動可能とする第１退出ドア３２と、開放されると退出準備室３０から入退出室１８へ移動可能とする第２退出ドア３４が設けられている。
【００３３】
また、退出準備室３０には、退出者の入室を検出する赤外線センサ８９と、空気圧を検出する空気圧センサ９０が取り付けられている。赤外線センサ８９と空気圧センサ９０の検出結果は、いずれもコントローラ８４へ出力される。
【００３４】
ここに、退出準備室３０は、入退出室１８より空気圧が高くされているので、入退出室１８の環境汚染物質が退出準備室３０に入るのが抑制される。また、第１退出ドア３２と第２退出ドア３４は、後述するように、同時には開放しない構成とされているので、入退出室１８から退出準備室３０を経て建物内部へ汚染物質が流入するのを抑制できる。また、第２退出ドア３４を退出準備室３０側からのみ開放可能とすることで、間違って入退出室１８側から退出準備室３０へ進入されるのを防止できる。
【００３５】
エントランス１０は、図４に示すコントローラ８４によりが制御される。コントローラ８４には、図示しないＣＰＵ、ＲＯＭ、ＲＡＭが組み込まれ、ＲＯＭに記憶されたプログラムに基づいて、エントランス構成部材を制御する。なお、アクチュエータやインターフェース類の記載は省略している。
【００３６】
コントローラ８４へ入力されるデータには、上述したように、重量センサ８６からの出力、赤外線センサ８８、８９からの出力、空気圧センサからの出力がある。
また、コントローラ８４の制御対象には、エアシャワー室１６Ａ、１６Ｂの入口ドア２２と出口ドア２４の開閉、エアシャワー室１６Ａ、１６Ｂのエアシャワー運転、退出準備室３０の第１退出ドア３２、第２退出ドア３４の開閉がある。
【００３７】
次に、本構成のエントランス１０を通る入室者、退出者の移動順序を、コントローラ８４の作動と併せて図５、６のフロー図を用いて説明する。
先ず、入室時について説明する。
図２、５に示すように、入室者は矢印９２で示す方向、即ち、屋外２８から風除け室４４を経て玄関４６へ入り（ステップ６０）、玄関４６から、入退出室１８へ移動する。入退出室１８では、靴を脱いで靴箱３６へ入れる（ステップ６１）。
【００３８】
このときコントローラ８４は、靴箱３６に設けられた重量センサ８６から、収納された靴の重量を取り込む。検出された重量が予め設定した範囲内にあるとき、収納された物が靴と判断する（ステップ６２）。ここに、誤検出を防止するため、収納された物を靴と判断するための許容レンジを予め設定しておくのが望ましい。
また、同時に複数の靴が収納された時の優先順序や、２つのエアシャワー室１６Ａ、１６Ｂへの振り分け方法等を予め定めておくのが望ましい。
【００３９】
続いて、エアシャワー室１６へ移動する（ステップ６３）。このときコントローラ８４は、収納された物が靴と判断したとき、エアシャワー室１６の出口ドア２４が閉じているのを確認した後、エアシャワー室１６の入口ドア２２を開ける。これは、入口ドア２２と出口ドア２４が同時に開放され、エアシャワー室１６を通じて環境汚染物質が入退出室１８から進入室２０へ流入するのを防止するためである。
【００４０】
また、入室者がエアシャワー室１６へ入ったのを赤外線センサ８８で確認した後、入口ドア２２を閉じて、エアシャワーを予め定められた設定時間だけ運転させる。エアシャワー室１６への入室前に入口ドア２２を閉じる等の不具合を避けるためである。なお、エアシャワーの運転開始は、入室者の手動操作でも良い。このとき、エアシャワーの運転時間は、建物１２の管理者が予め設定した時間だけ連続運転させ、時間経過と共に自動で停止させればよい。
【００４１】
他の方法として、エアシャワー室１６の内部に、環境汚染物質濃度を検出する図示しない濃度センサを取り付けておき、この濃度センサの出力に基づいてエアシャワーの運転時間を決定してもよい。これにより、環境汚染物質濃度を、確実に設定値以下に低下させることができる。
エアシャワーの運転終了後、コントローラ８４は、入口ドア２２が閉じているのを確認した後、出口ドア２４を開ける（ステップ６４）。
【００４２】
続いて、入室者は、エアシャワー室１６から進入室２０へ移動する。進入室２０には室内履きを収納した収納箱３８が設けられており、室内履きを履いてそれぞれの住戸へ移動する（ステップ６５）。
このときコントローラ８４は、入室者がエアシャワー室１６から退出したのを赤外線センサで８８確認した後、エアシャワー室１６の出口ドア２４を閉じる（ステップ６６）。
【００４３】
続いて、退出時について説明する。
退出時には、図２、６に示すように、屋外２８に出ようとする退出者は、矢印９４で示す方向、即ち、建物１２の共用空間４０から、一旦進入室２０へ進み、室内履きを脱いで退出準備室３０に入る（ステップ６８）。
このときコントローラ８４は、赤外線センサ８９で退室者を確認した後、第２退出ドア３４が閉じているのを確認して第１退出ドア３２を開放する（ステップ６９）。
【００４４】
次に、退出者は、退出準備室３０から入退出室１８へ移動する（ステップ７０）。このときコントローラ８４は、第１退出ドア３２が閉じているのを確認し、更に、退出準備室３０の空気圧が入退出室１８より高いのを確認した後に、第２退出ドア３４を開放する（ステップ７１）。
【００４５】
続いて、退室者は、入退出室１８で靴箱３６から靴を取り出し、靴を履いて第１外部開閉ドア２６、玄関ドア５０、防風ドア４８を通り屋外２８へ出る（ステップ７２）。
【００４６】
以上説明したように、本構成とすることにより、建物１２へ入るときは、エアシャワー室１６Ａ、１６Ｂを通らないと、入退出室１８から進入室２０へ移動できず、建物１２には入れない。この結果、建物１２へ入る人はすべて、エアシャワー室１６で衣服等に付着した、いわゆる環境汚染物質（花粉、排気ガス又は放射性物質等）が除去される。これにより、人を介して屋外２８から環境汚染物質が建物１２の内部へ持ち込まれるのを抑制することができる。
【００４７】
また、履物を脱いで靴箱３６へ入れ、重量センサ８６により履物が収納されたことが検出されないと、エアシャワー室１６の入口ドア２２が開放されないため、建物１２に入る人は、靴を履いたままでは入室できない。この結果、履物の底に付いた環境汚染物質が、屋外から建物へ持ち込まれるのを抑制することができる。
即ち、衣服に付着した環境汚染物質のみならず、靴底に付着した環境汚染物質を建物内部に持ち込ませないエントランス１０を提供することができる。
【００４８】
なお、本実施の形態では、住戸４２Ａ〜４２Ｆが設けられた建物１２にエントランス１０を設けた構成について説明した。しかし、この構成に限定されることはなく、例えば、病院、幼稚園、学校、集会施設、プール等が設けられた建物に、本実施の形態のエントランス１０を設けてもよい。
これにより、これらの建物が、環境汚染物質濃度が高い地域に建てられていても、エントランス１０により、衣服に付着した環境汚染物質のみならず、靴底に付着した環境汚染物質の建物内部への持ち込みを抑制することができる。
【００４９】
（第２の実施の形態）
図７の平面図に示すように、第２の実施の形態に係るエントランス５６は、第１の実施の形態で説明したエントランス１０における、靴箱３６の裏側に退出室７６を設け、建物への入室経路と退出経路を分離した構成である。第１の実施の形態との相違点を中心に説明する。
【００５０】
退出室７６は、靴箱７８を挟んで入退出室１８の反対側に設けられている。退出室７６は、壁体で周囲の空間と仕切られた独立空間とされ、建物１２との間には退出準備室７４が設けられている。また、第１の実施の形態において退出準備室７４に設けられていた第２退出ドアは壁１００で閉塞されている。退出準備室７４には、開放されると退出準備室７４から退出室７６へ移動可能とする第３退出ドア８０が追加されている。
【００５１】
退出室７６には、靴箱７８に収納された靴を取り出す退出室側ドアが設けられている。これにより、退出室７６から靴箱７８に収納した靴を取り出すことができる。また、退出室７６には、出口専用室９６との間に出口専用ドア８２が設けられ、退出室７６との通路を開閉している。出口専用室９６には、出口専用室９６と屋外２８との通路を開閉するドア９８が設けられている。
【００５２】
また、進入室２０に設けられたコントローラ１０４により、靴箱７８の進入準備室１８側ドアと退出室７６側ドアを、いずれか一方が開放されているときは他方を閉じるようにインターロックさせている。これにより、収納される靴の管理が容易となる。
更に、コントローラ１０４により、退出準備室７４の第１退出ドア３２が開放されている間は、第３退出ドア８０が開放しないようにインターロックされている。これにより、退出準備室７４を通過して、環境汚染物質が退出室７６から建物１２の内部に侵入するのを抑制できる。
【００５３】
他の構成は、第１の実施の形態と同一であり説明は省略する。
上記構成とすることにより、退出専用に設けられた退出室７６を移動して、退出準備室７４から屋外に移動することができ、入室者と退出者の動線の交わりをなくすことができる。
【符号の説明】
【００５４】
１０  エントランス
１２  建物
１４  エントランス室
１６  エアシャワー室
１８  入退出室
２０  進入室
２２  入口ドア
２４  出口ドア
２６  第１外部開閉ドア
２８  屋外
３０  退出準備室
３２  第１退出ドア
３４  第２退出ドア
３６  靴箱（履物収納部）
３８  屋内履物箱（屋内用の履物収納部）
７６  退出室
８０  第３退出ドア
８２  第２外部開閉ドア
８４  コントローラ（退出制御室制御部、エアシャワー室制御部）
８６  重量センサ（履物検出手段）
【図１】
0005872318.tif 000002
【図２】
0005872318.tif 000003
【図３】
0005872318.tif 000004
【図４】
0005872318.tif 000005
【図５】
0005872318.tif 000006
【図６】
0005872318.tif 000007
【図７】
0005872318.tif 000008